(57)【要約】【課題】  冷陰極管を光源とした照明器具において、照明器具を大型化することなく高い光量を確保し、かつ調光装置を用いずに光量の調節を可能とする。【解決手段】  螺旋状に巻回した冷陰極管１１を光源としたランプユニット１０を照明器具Ｓの基台１上に複数個設けるとともに、ランプユニットのうちの一部を中心に配し、その同心円上に他のランプユニットを分散して配する。【選択図】      図１
0003173544.tif 000002
【実用新案登録請求の範囲】
【請求項１】
螺旋状に巻回した冷陰極管を光源としたランプユニットを基台上に複数個配した照明器具にして、ランプユニットのうちの一部を中心に配し、その同心円上に他のランプユニットを分散して配したことを特徴とする照明器具。
【請求項２】
ランプユニットの冷陰極管は二重螺旋状に巻回されている請求項１記載の照明器具。
【請求項３】
基台上に複数個配したランプユニットのそれぞれを個別に点灯する手段を設けた請求項１または２記載の照明器具。
【請求項４】
円形の照明器具の基台の中心に一つのランプユニットを配するとともに、その同心円上の円周上に他のランプユニットを等間隔に分散して配した請求項１から３のいずれかに記載の照明器具。
【請求項５】
円形の照明器具の基台の中心に一つのランプユニットを配するとともに、その同心円上の複数の大小の円周上に他のランプユニットを等間隔に分散して配した請求項４記載の照明器具。
【考案の詳細な説明】
【技術分野】
【０００１】
この考案は冷陰極管を光源とした照明器具に関し、より詳細には照明器具を大型化することなく高い光量を確保し、かつ調光装置を用いずに光量の調節を可能にした照明器具に関する。
【背景技術】
【０００２】
冷陰極管を光源のランプとした照明器具においてその光量を高めるためには、高い光量を有するランプを照明器具内に収容すればよいことは自明である。
【０００３】
一方、冷陰極管を螺旋状に巻回したランプが公知である（特許文献１）。
【先行技術文献】
【特許文献】
【０００４】
【特許文献１】特開平５−８９８３４号公報
【考案の概要】
【考案が解決しようとする課題】
【０００５】
ランプの光量を高めるためにはランプの全長を長くしなければならない。しかしながら、ランプの全長が長くなればそれを収容する照明器具の全長も長くなり、照明器具が大型化する問題を生じた。
【０００６】
そこで、適当な長さに押さえたランプを複数本用意し、これを一つの照明器具内に収容することが想定できる。この場合、照明器具をもっともコンパクトにするためには、それを正方形に構成することが想定できるが、そうすると一つの照明器具に対するランプの本数が多くなり過ぎ、その分、ランプのコストが嵩みほか、ソケットの数や点灯回路の数が多くなるのでそのコストも嵩む問題が生じる。
【０００７】
一方、前記の冷陰極管を螺旋状に巻回したランプの場合、縦横比を等しくした領域内に可及的に長く構成した冷陰極管を収容できるので、コンパクトでありながら高い光量を確保した照明器具を実現することができる。
【０００８】
しかしながら、管径を太くできない冷陰極管の場合、一本の冷陰極管で充分な光量を確保しようとすると巻き数が多い長大な長さのランプとなってしまう。その結果、直線上の管を熱で軟化させながら巻回して製造する螺旋状の冷陰極管の場合、巻き数が過大となって製造が大変困難となり、また、管径と全長比が過大となるので外力に対し脆くなる問題も生じた。
【０００９】
ところで、現代では照明器具は調光できることが常識であるが、冷陰極管はその構造上調光できる範囲が狭く、また、調光回路も複雑でコストが嵩む問題があった。
【００１０】
これに関し、前出の一つの照明器具内に複数のランプを収容する手法においては、ランプの点灯本数を変化させることにより、照明器具単位での光量を調整することができる。しかしながら、この場合、照明器具中に明るい部分と暗い部分が生じ、体裁が悪いという問題を生じる。
【課題を解決するための手段】
【００１１】
この考案は、以上の問題点を解決した照明器具を提供することを目的として創作されたものであり、螺旋状に巻回した冷陰極管を光源としたランプユニットを基台上に複数個配した照明器具にして、ランプユニットのうちの一部を中心に配し、その同心円上に他のランプユニットを分散して配したことを特徴とする。
【００１２】
また、請求項２に記載の照明器具は、前記の照明器具において、ランプユニットの冷陰極管が二重螺旋状に巻回されているものとしたことを特徴とする。
【００１３】
また、請求項３に記載の照明器具は、基台上に複数個配したランプユニットのそれぞれを個別に点灯する手段を設けたことを特徴とする。
【００１４】
また、請求項４に記載の照明器具は、円形の照明器具の基台の中心に一つのランプユニットを配するとともに、その同心円上の円周上に他のランプユニットを等間隔に分散して配したことを特徴とする。
【００１５】
また、請求項５に記載の照明器具は、円形の照明器具の基台の中心に一つのランプユニットを配するとともに、その同心円上の複数の大小の円周上に他のランプユニットを等間隔に分散して配したことを特徴とする。
【考案の効果】
【００１６】
この考案の照明器具によれば、第一に螺旋状に巻回した冷陰極管をランプユニットの光源としているので、可及的に長く構成した冷陰極管を縦横比を等しくした領域内に収容でき、コンパクトでありながら高い光量を確保でき、特に請求項２記載の考案のように冷陰極管を二重螺旋状に巻回されたものとした場合はこの効果はより顕著となる。この場合、ランプは円状に発光するので従来の直線状のものと異なり発光領域に方向性がなく、ランプの向きが自在となる効果を得られる。
【００１７】
第二に、前記のランプユニットを基台上に複数個配することとし、ランプユニットのうちの一部を中心に配し、その同心円上に他のランプユニットを分散して配しているので、前記した発光領域に方向性がないことと相まって照明器具中に均等に光源を配することが可能となり、特に照明器具を円形とした場合は方向性がないコンパクトな照明器具となり、設置の自由度が増す効果を得られる。
【００１８】
第三に、基台上に複数個配したランプユニットのそれぞれを個別に点灯する手段を設けているので、ランプの点灯本数を選択することにより照明器具の光量を調節することができる。この場合、ランプユニットの形状および発光領域に方向性がないので、ランプユニットのうちの一部を中心に配し、その同心円上に他のランプユニットを分散して配することが可能となる。従って、ランプの一部を点灯する場合に、例えば中心のランプのみとか、同心円上に等間隔に分散して配した一連のランプのみとかにすれば、照明器具中に明るい部分と暗い部分が生じても発光領域の中心は常に照明器具の中心に合致するので、体裁が悪くならない効果を得られる。
【００１９】
以上の点から、この考案の照明器具によれば、設置の自由度が増す方向性がないコンパクトな照明器具が実現でき、しかもコストが嵩む調光回路を使用せずとも、照明器具全体の光量を調節できるという効果を得ることができる。
【図面の簡単な説明】
【００２０】
【図１】この考案の照明器具のカバーを外した状態の平面図。
【図２】同上、ランプユニットの平面図。
【図３】同上、電気回路のブロック図。
【図４】同上、カバーを施した状態の全点灯時の平面図。
【図５】同上、カバーを施した状態の一部点灯時の平面図。
【図６】この考案の照明器具を天井面に設置した状態の全点灯時の平面図。
【図７】同上、一部点灯時の平面図。
【図８】この考案の異なる実施例の照明器具のカバーを外した状態の平面図。
【図９】同上、カバーを施した状態の全点灯時の平面図。
【図１０】同上、カバーを施した状態の一部点灯時の平面図。
【図１１】同上、カバーを施した状態の一部点灯時の平面図。
【考案を実施するための形態】
【００２１】
以下、この考案の具体的実施例を添付図面に基づいて説明する。図１はこの考案の照明器具Ｓのカバーを外した状態の平面図である。図中符号１は照明器具の基台であり、裏面が天井などの被取付箇所との取付面となり、表面に光源を収容したランプユニット１０が複数個配される。この基台には透光性のあるカバーＣが着脱自在に被蓋される。
【００２２】
図２は前記ランプユニット１０の平面図である。このランプユニットは基台上に螺旋状に巻回した冷陰極管１１を配した構成よりなり、この実施例では螺旋を二重螺旋状とすることにより、縦横比を等しくした領域内に収容できる冷陰極管の全長をより高めるとともに、螺旋の円周端部に冷陰極管の２つの端部が位置するようにしている。
【００２３】
この考案は、ランプユニット１０のうちの一部を中心に配し、その同心円上に他のランプユニットを分散して配したことを特徴とする。この実施例では照明器具内に全部で６個のランプユニットを収容することとし、その内の１個を照明器具の基台１の中心に配し、残余の５個のランプユニットをその同心円上の円周上に等間隔に分散して配している。なお、これに加えて保安灯となる麦球を付加してもよいことは勿論である。
【００２４】
図３はこの実施例の照明器具の電気回路のブロック図である。このブロック図において図中符号２はＤＣ電源回路、３は各冷陰極管１１を駆動するインバータ、４はリモコン送信機５からの受信信号により各冷陰極管１１を点灯、消灯制御するリモコン受信回路である。
【００２５】
前記回路においては次の点灯パターンが実現できる。
パターン１        全灯点灯
パターン２        円周上の５灯のみ点灯
パターン３        中心の１灯のみ点灯
パターン４        全消灯  
【００２６】
図４および図５はこの考案の照明器具Ｓの点灯時の状態を示す図であり、図４は全灯を点灯した場合、図５は中心の１灯のみを点灯した場合の状態を示す図である。図中、淡色で示した部分はカバーＣを透過した各ランプからの光を模式的に示したものであるが、実際はカバーを光拡散性に富んだ半透明の素材により構成することにより、ランプを中心としてその周辺まで仄明るく配光され、その明るさは周辺に進むにつれ小さくなる状態となる。
【００２７】
」
これらの図から明らかなように、この考案の照明器具においては照明器具中に明るい部分と暗い部分が生じても発光領域の中心は常に照明器具の中心に合致することとなる。この効果は図６および図７に示すように複数個の照明器具Ｓを規則的に天井面Ｔに設置した場合に特に顕著で、全灯を点灯した場合（図６）でも１灯のみを点灯した場合（図７）でも発光領域の中心位置はずれないので、調光により室内の影の位置がずれたりすることがない。
【００２８】
図８はこの考案の照明器具の異なる実施例を示す図であり、照明器具Ｓ２のカバーを外した状態の平面図を示している。図中符号２０は照明器具の基台であり、この実施例では照明器具内に全部で１５個のランプユニット２１を収容することとし、その内の１個を照明器具の基台１の中心に配し、残余中の５個のランプユニットをその同心円上の円周上に等間隔に分散して配し、さらにそれより外側の同心円上の円周上に残余の９個のランプユニットを等間隔に分散して配している。なお、図中符号２２は各ランプユニットの冷陰極管である。
【００２９】
図９〜図１１はこの実施例の照明器具Ｓ２の点灯時の状態を示す図であり、図９は全灯を点灯した場合、図１０は中心の１灯とその周囲の５灯のみを点灯した場合、図１１は円周の９灯のみを点灯した場合を示す。これらの図から明らかなように、この考案の照明器具においては、多数のランプを収容した場合に、一部の点灯により照明器具中に明るい部分と暗い部分が生じても発光領域の中心は常に照明器具の中心に合致することとなる。
【符号の説明】
【００３０】
Ｓ        照明器具
１        基台
１０      ランプユニット
１１      冷陰極管
Ｓ２      照明器具
２０      基台
２１      ランプユニット
２２      冷陰極管
【図１】
0003173544.tif 000003
【図２】
0003173544.tif 000004
【図３】
0003173544.tif 000005
【図４】
0003173544.tif 000006
【図５】
0003173544.tif 000007
【図６】
0003173544.tif 000008
【図７】
0003173544.tif 000009
【図８】
0003173544.tif 000010
【図９】
0003173544.tif 000011
【図１０】
0003173544.tif 000012
【図１１】
0003173544.tif 000013